(57)【要約】【課題】一定の装飾性能を発揮する造花の形成を可能とする造花形成用リボンを提供すること。【解決手段】造花形成用リボンは、互いに重ね合わされた一対のリボン片（１２）と、両リボン片間に配置された紐（１４）とを備える。両リボン片及び紐は第１の箇所（１６）において相互に接合され、両リボン片はこれら複数の第２の箇所（１８）で相互に接合されている。複数の第２の箇所は７つの線上に位置する。第１の箇所と長手方向中心線及び線の交差箇所との間及び長手方向中心線と７つの線との７つの交差箇所相互間に存する７つの距離の比は２１：２６：２７：２８：２９：３１：３１である。また、長手方向中心線に直交する線に対する７つの線の７つの交差角度はそれぞれ０°±２°、正角２５°±２°、負角２５°±２°、正角３５°±２°、負角１５°±２°、正角１５°±２°及び負角４５〜５５°±２°である。【選択図】図１
0003215241.tif 000002
【実用新案登録請求の範囲】
【請求項１】
互いに重ね合わされた一対のリボン片と、両リボン片間に配置され両リボン片の両側部間を両リボン片の長手方向中心線の伸長方向へ伸びる少なくとも１つの紐とを備え、
両リボン片及び前記紐はこれらの一端部の第１の箇所において相互に接合され、また、両リボン片はこれらの両側部の複数の第２の箇所であって前記長手方向中心線を両リボン片の一端部から他端部に向けて順次にまた互いに間隔をおいて横切る７つの線Ｌ１〜Ｌ７上に位置する複数の第２の箇所において相互に接合され、
前記第１の箇所と前記長手方向中心線及び線Ｌ１の交差点との間に距離Ｓ１が存し、また、前記長手方向中心線と線Ｌ１〜Ｌ７との７つの交差点相互間にそれぞれ距離Ｓ２〜Ｓ７が存し、比Ｓ１：Ｓ２：Ｓ３：Ｓ４：Ｓ５：Ｓ６：Ｓ７が２１：２６：２７：２８：２９：３１：３１であり、
両リボン片の長手方向中心線に直交する線に対する７つの線Ｌ１〜Ｌ７の７つの交差角度が、それぞれ、０°±２°、正角２５°±２°、負角２５°±２°、正角３５°±２°、負角１５°±２°、正角１５°±２°及び負角４５〜５５°±２°である、造花形成用リボン。
【請求項２】
両リボン片はそれぞれ１１１５ｍｍの長さ寸法を有し、
前記距離は、Ｓ１＝１０５ｍｍ、Ｓ２＝１３０ｍｍ、Ｓ３＝１３５ｍｍ、Ｓ４＝１４０ｍｍ、Ｓ５＝１４５ｍｍ、Ｓ６＝１５５ｍｍ及びＳ７＝１５５ｍｍである、請求項１に記載の造花形成用リボン。
【請求項３】
両リボン片はそれぞれ２２ｍｍの幅寸法を有する、請求項２に記載の造花形成用リボン。
【考案の詳細な説明】
【技術分野】
【０００１】
本考案は、贈答品のような物品の装飾に用いられる造花を形成するための造花形成用リボンに関する。
【背景技術】
【０００２】
従来、互いに重ね合わされた一対のリボン片と、両リボン片間に配置され両リボン片の両側部間を両リボン片の長手方向中心線の伸長方向へ伸びる少なくとも１つの紐とを備える造花形成用リボンが提案されている。両リボン片及び紐はこれらの一端部において相互に接合され、また、両リボン片はこれらの両側部の複数の箇所であって両リボン片の一端部から他端部に向けて互いに間隔をおいて横切る複数の線上にそれぞれ位置する複数の箇所において相互に接合されている。
【０００３】
これによれば、紐に対して両リボン片の他端部をこれらの一端部に向けて相対移動させることにより、両リボン片が複数の線のそれぞれに沿って互い違いに折れ曲がり、両リボン片の一端部とこれに隣接する線との間の部分、及び、線相互間の部分が紐の周囲にループ状に張り出し、また、紐の長手方向に関して互いに重なり合う。その結果、ループ状に張り出しかつ互いに重なり合うこれらの複数の部分を花弁とする花冠からなる造花が形成される。
【０００４】
ところで、前記従来の造花形成用リボンにあっては、両リボン片の長手方向中心線に対する各線の交差角度及び線相互間の距離に設定上の任意性があり、形成された造花の機能である装飾性能にばらつきがあった。
【先行技術文献】
【特許文献】
【０００５】
【特許文献１】特開平９−１１９０４８号公報
【考案の概要】
【考案が解決しようとする課題】
【０００６】
本考案は、一定の装飾性能を発揮する造花の形成を可能とする造花形成用リボンを提供する。
【課題を解決するための手段】
【０００７】
本考案に係る造花形成用リボンは、互いに重ね合わされた一対のリボン片と、両リボン片間に配置され両リボン片の両側部間を両リボン片の長手方向中心線の伸長方向へ伸びる少なくとも１つの紐とを備える。両リボン片及び前記紐はこれらの一端部の第１の箇所において相互に接合され、両リボン片はこれらの両側部の複数の第２の箇所であって前記長手方向中心線を両リボン片の一端部から他端部に向けて順次にまた互いに間隔をおいて横切る７つの線Ｌ１〜Ｌ７上に位置する複数の第２の箇所において相互に接合されている。ここにおいて、前記第１の箇所と前記長手方向中心線及び線Ｌ１の交差点との間に距離Ｓ１が存し、また、前記長手方向中心線と線Ｌ１〜Ｌ７との７つの交差点相互間にそれぞれ距離Ｓ２〜Ｓ７が存する。これらの距離の比Ｓ１：Ｓ２：Ｓ３：Ｓ４：Ｓ５：Ｓ６：Ｓ７は２１：２６：２７：２８：２９：３１：３１である。また、両リボン片の長手方向中心線に直交する線に対する７つの線Ｌ１〜Ｌ７の７つの交差角度が、それぞれ、０°±２°、正角２５°±２°、負角２５°±２°、正角３５°±２°、負角１５°±２°、正角１５°±２°及び負角４５〜５５°±２°である。
【０００８】
本考案によれば、前記紐に対して両リボン片の他端部をこれらの一端部に向けて相対移動させると、両リボン片は前記７つの線Ｌ１〜Ｌ７に沿って互い違いに折れ曲がる。これにより、両リボン片の第１の箇所とこれに隣接する線Ｌ１との間の一対の距離Ｓ１の部分と、線Ｌ１と線Ｌ７との間の６対の距離Ｓ２〜Ｓ７の部分とが、それぞれ、前記紐の周囲に逆ハの字形をなして放射方向へ末広がりに張り出し、７対のループが形成される。その結果、７対のループを花弁としまたこれらの花弁を花冠とする造花が形成される。また、両リボン片の他端部を該他端部に隣接する線Ｌ７に沿ってハの字形に開く２つの「垂れ」が形成される。
【０００９】
ところで、前記７対のループは、前記造花の形成時、両リボン片の一端部に向けて、また、前記第１の箇所に隣接する１対のループを先頭にして、順次に重なり合う。ここにおいて、両リボン片の一端部側にある３対のループ（距離Ｓ１、Ｓ２及びＳ３をそれぞれ有する３対の部分）のそれぞれは、互いに他の一方に向けて立ち上がる。このため、これらの３対のループは全体として屹立した、またボリューム感に富む立体的な形態を表出する。他方、両リボン片の他端部側にある４対のループ（距離Ｓ４、Ｓ５、Ｓ６及びＳ７をそれぞれ有する４対の部分）のそれぞれは、前記３対のループと両リボン片の他端部との間に挟まれた状態におかれる。このため、４対のループは、それぞれ、前記３対のループのように立ち上がることなく、全体としてドレープ状の平坦的な形態を表出する。
【００１０】
本考案においては、前記３対の部分の長さすなわち距離Ｓ１、Ｓ２、Ｓ３の大きさを、前記４対の部分の長さである距離Ｓ４、Ｓ５、Ｓ６、Ｓ７の大きさより小さいものとし、かつ、これらの距離Ｓ１〜Ｓ７の比を２１：２６：２７：２８：２９：３１：３１に設定する。さらに、前記３対の部分を区画する線Ｌ１〜Ｌ３の前記交差角度をそれぞれ±２°の誤差を許す０°、２５°及び２５°に設定し、かつ、前記４対の部分を区画する線Ｌ４〜Ｌ７の前記交差角度を±２°の誤差を許す２５°、正角３５°、負角１５°、１５°及び負角４５〜５５°に設定する。このように設定された前記距離及び前記交差角度は、前記３対のループ(花弁)の立体的な形態と、前記４対のループ（花弁）の平坦的な形態とを、より際立たせることに寄与する。また、これらの距離及び交差角度の設定下において形成された造花は、一定の装飾性能、特に、機械的な硬さのない手作り風の見栄え、多種多様の物品に適用可能である優雅さ等の装飾性能を発揮する。加えて、前記設定の下では、型くずれのし難い、したがって前記形態を比較的長く維持可能である造花を得ることが可能である。
【００１１】
両リボン片はそれぞれ１１１５ｍｍの長さ寸法を有し、前記距離はＳ１＝１０５ｍｍ、Ｓ２＝１３０ｍｍ、Ｓ３＝１３５ｍｍ、Ｓ４＝１４０ｍｍ、Ｓ５＝１４５ｍｍ、Ｓ６＝１５５ｍｍ及びＳ７＝１５５ｍｍとすることができる。また、両リボン片はそれぞれ２２ｍｍの幅寸法を有するものとすることができる。
【図面の簡単な説明】
【００１２】
【図１】造花形成用リボンにおける両リボン片の両平面のうちの一方の側から見た図である。
【図２】形成途上にある造花の斜視図である。
【図３】形成された造花の斜視図である。
【考案を実施するための形態】
【００１３】
図１を参照すると、本考案に係る造花形成用リボンが全体に符号１０で示されている。
【００１４】
造花形成用リボン１０は、互いに重ね合わされた一対のリボン片１２と、両リボン片１２間に配置され両リボン片１２の両側部１２ｃ間を両リボン片１２の長手方向中心線ｌの伸長方向へ伸びる一対の紐１４とを備える。図示の例において、両紐１４は、それぞれ、リボン片１２より小さい幅寸法を有する一対の細幅のリボン片からなる。前記細幅の両リボン片は互いに重ね合わされている。紐１４の数は、これを２つとする図示の例に代えて、１つ又は３つ以上とすることができる。また、両リボン片１２及び両紐１４は、それぞれ、ナイロン、ポリエステル等の合成繊維製の織布、合成繊維製の不織布、合成樹脂製のテープ、天然繊維製の織布、天然繊維製の不織布、紙製のテープ等からなる。
【００１５】
両リボン片１２及び両紐１４はこれらの一端部１２ａ、１４ａにおける任意の箇所、図示の例では両リボン片１２及び両紐１４の前記一端部における自由端の近傍に位置する２つの箇所（第１の箇所）１６において相互に接合されている。また、両リボン片１２はこれらの両側部１２ｃにおける複数の箇所、図示の例にあっては１４（７対）の箇所（第２の箇所）１８において相互に接合されている。両紐１４は、より正確には、７対の第２の箇所１８間に位置する。
【００１６】
両リボン片１２及び両紐１４の相互接合、並びに、両リボン片１２の相互接合は、それぞれ、超音波を利用した熱溶着によりなされている。前記熱溶着による相互接合に代えて、また、リボン片１２及び紐１４の相互接合は、これらの材料の種類を考慮して、接着剤や縫い合わせによることが可能である。
【００１７】
７対の第２の箇所１８は、それぞれ、７つの線（仮想線）Ｌ１〜Ｌ７上に位置する。７つの線Ｌ１〜Ｌ７は、両リボン片１２の一端部１２ａから他端部１２ｂに向けて順次にまた互いに間隔をおいて、両リボン片１２（より正確には両リボン片１２の長手方向中心線ｌ）を横切っている。
【００１８】
両リボン片１２及び両紐１４の接合箇所である第１の箇所１６と、両リボン片１２の長手方向中心線ｌ及び線Ｌ１の交差箇所との間には距離Ｓ１が存する。また、長手方向中心線ｌと線Ｌ１〜Ｌ７との７つの交差箇所相互間にはそれぞれ距離Ｓ２〜Ｓ７が存する。より詳細には、長手方向中心線ｌ及び線Ｌ１の交差箇所と長手方向中心線ｌ及び線Ｌ２の交差箇所との間に距離Ｓ２が存し、長手方向中心線ｌ及び線Ｌ２の交差箇所と長手方向中心線ｌ及び線Ｌ３の交差箇所との間に距離Ｓ３が存し、長手方向中心線ｌ及び線Ｌ３の交差箇所と長手方向中心線ｌ及びＬ４の交差箇所との間に距離Ｓ４が存し、長手方向中心線ｌ及び線Ｌ４の交差箇所と長手方向中心線ｌ及び線Ｌ５の交差箇所との間に距離Ｓ５が存し、長手方向中心線ｌ及び線Ｌ５の交差箇所と長手方向中心線ｌ及び線Ｌ６の交差箇所との間に距離Ｓ６が存し、また、長手方向中心線ｌ及び線Ｌ６の交差箇所と長手方向中心線ｌ及び線Ｌ７の交差箇所との間に距離Ｓ７が存する。ここにおいて、これらの距離の比Ｓ１：Ｓ２：Ｓ３：Ｓ４：Ｓ５：Ｓ６：Ｓ７が、２１：２６：２７：２８：２９：３１：３１に設定されている。
【００１９】
両リボン片１２の長さ寸法及び幅寸法は任意に定めることができる。図示の例では、両リボン片１２はそれぞれ１１１５ｍｍの長さ寸法と、２２ｍｍの幅寸法とを有する。また、前記距離は、Ｓ１＝１０５ｍｍ、Ｓ２＝１３０ｍｍ、Ｓ３＝１３５ｍｍ、Ｓ４＝１４０ｍｍ、Ｓ５＝１４５ｍｍ、Ｓ６＝１５５ｍｍ及びＳ７＝１５５ｍｍである。なお、両リボン片１２の他端部１２ｂの長さＬ８、すなわち長手方向中心線及び線Ｌ７の交差箇所と両リボン片１２の他端部１２ｂにおける自由端との間の距離Ｌ８は１６０ｍｍである。但し、距離Ｌ８の大きさは任意に定めることができる。
【００２０】
また、両リボン片１２の長手方向中心線ｌに直交する線（直交線）Ｖ１〜Ｖ７に対する７つの線Ｌ１〜Ｌ７の７つの交差角度θ１〜θ７が、それぞれ、０°±２°（θ１）、正角２５°±２°（θ２）、負角２５°±２°（θ３）、正角３５°±２°（θ４）、負角１５°±２°（θ５）、正角１５°±２°（θ６）及び負角４５〜５５°±２（θ７）°に設定されている。ここにおいて、±２°は許容誤差の範囲を示す。また、前記正角は、両リボン片１２の平面すなわち図１で見て、各線Ｌ２、Ｌ４、Ｌ６が各直交線Ｖ２、Ｖ４、Ｖ６に対して右上がりに交差しかつ各角度の値が各直交線Ｖ２、Ｖ４、Ｖ６から各線Ｌ２、Ｌ４、Ｌ６に向けて時計方向に計ったものであることを示す。前記負角は、反対に、各線Ｌ３、Ｌ５、Ｌ７が各直交線Ｖ３、Ｖ５、Ｖ７に対して右下がりに交差しかつ各角度の値が各直交線Ｖ３、Ｖ５、Ｖ７から各線Ｌ３、Ｌ５、Ｌ７に向けて反時計方向に計ったものであることを示す。
【００２１】
両リボン片１２間の両紐１４は、両リボン片１２の両側部１２ｃ間にあって両リボン片１２に対して非接合状態におかれていることから、図２に示すように、両紐１４に対して両リボン片１２の他端部１２ｂをこれらの一端部１２ａに向けて相対移動させると、両リボン片１２は第１の箇所１６において、また、７つの線Ｌ１〜Ｌ７に沿って互い違いに折れ曲がる。
【００２２】
これにより、両リボン片１２の一端部１２ａにおける第１の箇所１６とこれに隣接する線Ｌ１との間の１対の部分Ｐ１、及び、線Ｌ１〜線Ｌ７までの７つの線の間に存する互いに隣接する６対の部分Ｐ２〜Ｐ７が、それぞれ、両紐１４の周囲に逆ハの字形をなして放射方向へ末広がりに張り出し、７対のループを形成する。その結果、合わせて７対のループを花弁としまたこれらの花弁を花冠とする造花２０（図３）が形成される。また、両リボン片１２の他端部１２ｂは該他端部に隣接する線Ｌ７に沿ってハの字形に開く２つの垂れ２２が形成される。
【００２３】
造花２０の形成後、例えば両紐１４を互いに結び合わせることにより、前記ループ状の張り出しの弾性復元を阻止し、前記花弁及び造花２０の形態を維持することができる。両紐１４の結び目から先の部分は、必要に応じて、切除することができる。
【００２４】
ところで、前記７対のループは、造花２０の形成時、両リボン片１２の一端部１２ａに向けて、また、第１の箇所１６に隣接する１対のループを先頭にして、順次に重なり合う。ここにおいて、両リボン片１２の一端部１２ａの側にある３対のループ（距離Ｓ１、Ｓ２及びＳ３をそれぞれ有する３対の部分Ｐ１、Ｐ２及びＰ３）のそれぞれは、互いに他の一方に向けて立ち上がる。このため、これらの３対のループは全体として屹立した、またボリューム感に富む立体的な形態を表出する。
【００２５】
他方、両リボン片１２の他端部１２ｂの側にある４対のループ（距離Ｓ４、Ｓ５、Ｓ６及びＳ７をそれぞれ有する４対の部分）のそれぞれは、前記３対のループと両リボン片の他端部との間に挟まれた状態におかれる。このため、これらの４対のループは、それぞれ、前記３対のループのように立ち上がることなく、全体としてドレープ状の平坦的な形態を表出する。
【００２６】
本考案においては、３対の部分Ｐ１、Ｐ２、Ｐ３の長さすなわち距離Ｓ１、Ｓ２、Ｓ３の大きさを、４対の部分Ｐ４、Ｐ５、Ｐ６、Ｐ７の長さである距離Ｓ４、Ｓ５、Ｓ６、Ｓ７の大きさより小さいものとし、かつ、これらの距離Ｓ１〜Ｓ７の比を２１：２６：２７：２８：２９：３１：３１に設定する。さらに、３対の部分Ｐ１、Ｐ２、Ｐ３を区画する３つの線Ｌ１〜Ｌ３の交差角度θ１、θ２、θ３をそれぞれ±２°の誤差を許す０°、２５°及び２５°に設定し、かつ、４対の部分Ｐ４、Ｐ５、Ｐ６、Ｐ７を区画する４つの線Ｌ４〜Ｌ７の交差角度θ４、θ５、θ６、θ７をそれぞれ±２°の誤差を許す２５°、正角３５°、負角１５°、１５°及び負角４５〜５５°に設定する。
【００２７】
このように設定された距離Ｓ１〜Ｓ７及び交差角度θ１〜θ７は、前記３対のループ(花弁)の立体的な形態と前記４対のループ（花弁）の平坦的な形態とを、より際立たせることに寄与する。また、これらの距離及び交差角度の設定下において形成された造花２０は、一定の装飾性能、特に、機械的な硬さのない手作り風の見栄え、多種多様の物品に適用可能である優雅さ等の装飾性能を発揮する。加えて、前記設定の下では、型くずれのし難い、したがって前記形態を比較的長く維持可能である造花を得ることが可能である。
【符号の説明】
【００２８】
１０  造花形成用リボン
１２  リボン片
１４  紐
１６  第１の箇所
１８  第２の箇所
２０  造花
ｌ  長手方向中心線
Ｌ１〜Ｌ７  線
Ｐ１〜Ｐ７  部分
Ｓ１〜Ｓ７  距離
θ  交差角度
Ｖ  直交線
【図１】
0003215241.tif 000003
【図２】
0003215241.tif 000004
【図３】
0003215241.tif 000005